(57)【要約】【課題】複数の呼制御信号による一連の処理シーケンスや設定済みの呼に対する解放処理などの複合呼制御の処理も、過負荷状態を回避して、完了させる。【解決手段】受信された新規呼の呼制御信号は、信号種別判定部６で信号種別が判定されて過負荷制御部７に供給される。過負荷制御部７では、判定された種別を基に、データ容量テーブル８からこの呼制御信号のデータ容量が読み出され、信号別受信バッファ使用容量記憶部１０でのこの信号種別に対する受信バッファ２の現在使用容量値と加算されてこの信号種別での使用予測値が形成される。そして、過負荷制御部７は、この使用予測値が信号別閾値記憶部９でのこの信号種別に対する閾値と比較し、使用予測値がこの閾値以下のとき、この受信された呼制御信号を受信バッファ２に格納する。この受信バッファ２に格納されている呼制御信号は、呼制御処理部３で読み取られ、呼制御処理が行なわれる。【選択図】図１
2007281871.tif 000002
【特許請求の範囲】
【請求項１】
上位装置からの新規呼の呼制御信号を受信する受信手段と、
該受信した呼制御信号の信号種別を判定する判定手段と、
呼制御信号を格納する受信バッファと、
呼制御信号の信号種別毎に設定された該受信バッファでの現在使用容量値が格納された第１の記憶手段と、
呼制御信号の信号種別毎に設定された該受信バッファでの使用容量の閾値が格納された第２の記憶手段と、
該受信した呼制御信号を該受信バッファに格納したときの該呼制御信号の信号種別での該受信バッファの使用予測値を、該呼制御信号のデータ量と該第１の記憶手段での該判定手段で判定された信号種別に該当する現在使用容量値とから求め、該使用予測値が該第２の記憶部での該判定手段で判定された信号種別に該当する閾値以下であるとき、該受信した呼制御信号を該受信バッファに格納する過負荷制御手段と、
該受信バッファに格納された該呼制御信号を読み取り、該呼制御信号に応じた呼制御処理を行なう呼制御処理手段と
を備えたことを特徴とする無線基地局装置の過負荷制御装置。
【発明の詳細な説明】
【技術分野】
【０００１】
本発明は、移動体通信システムにおける無線基地局装置に係り、特に、呼制御における過負荷制御装置に関する。
【背景技術】
【０００２】
移動体通信システムでは、一方の移動体端末から一方の無線基地局装置に宛先を指定して発呼があると、この無線基地局装置は発呼があったことをＲＮＣ（無線ネットワーク制御装置）などの上位装置に通知する。上位装置は、この通知を受けると、指定される宛先の他方の移動体端末と通信を行なう他方の無線基地局装置に呼制御信号を送信する。他の無線基地局装置は、この呼制御信号を受信すると、新規呼の設定，設定済み呼の設定情報の変更，設定済み呼の解放（移動体端末間の通信の終了）などの呼制御処理を実行し、その処理結果を示す応答信号を上位装置に送信する。この呼制御処理が完了した場合には、上位装置は移動体端末間の通信を可能とし、呼制御処理ができない場合には、上位装置は移動体端末間の通信を禁止する。
【０００３】
ここで、呼制御信号は、例えば、3GPP(Third Generation Partnership Project）規格に準拠したフォーマットをなすものであって、呼制御信号（呼制御処理）の信号種別を表わすデータ（以下、信号種別データという）と１〜複数の情報要素を表わすデータ（以下、情報要素データという）とから構成されている。信号種別データは、呼制御処理の種別を表わすものであり、呼を識別するデータとともに、“Radio Link Addition”,“Radio Link Deletion”,“Radio Link Setup”,“Synchronised Radio Link”などといった処理を指定するデータを含んでいる（3GPP規格参照）。情報要素データは信号種別データで指定される呼制御処理の具体的な内容（パラメータ）を表わすものである。これら信号種別データと情報要素データとを基に無線基地局装置で要求される呼制御処理が行なわれる。なお、信号種別データのみで実行可能な呼制御処理もあり、このような呼制御処理に対しては、呼制御信号は信号種別データのみから構成される。
【０００４】
図３は従来の無線基地局装置での過負荷制御装置の一例を示すブロック構成図であって、１は受信部、２は受信バッファ、３は呼制御処理部、４は送信バッファ、５は送信部である。
【０００５】
同図において、図示しない上位装置からこの無線基地局装置に送信される呼制御信号は受信部１で受信され、受信バッファ２に格納される。呼制御処理部３は、受信バッファ２に格納されている呼制御信号を読み出して、この呼制御信号の信号種別データからその信号種別を判定し、この信号種別とこの呼制御信号中の情報要素とから要求される呼制御処理を実行する。受信バッファ２には、呼制御信号が受信される毎に順次格納され、呼制御処理部３での呼制御処理は、受信バッファ２での呼制御信号の格納順に（即ち、受信順）あるいは優先順位順に行なわれる。呼制御処理部３は、呼制御処理が完了すると、その処理結果に応じた応答信号を生成し、送信バッファ４に格納する。この送信バッファ４からは順次応答信号が読み出され、送信部５から上位装置に送信される。受信バッファ２から呼制御信号が読み出されると、この呼制御信号が受信バッファ２から削除され、この分、さらに、受信バッファ２に余裕ができる。
【０００６】
無線基地局装置の負荷が低く、受信バッファ２に格納されている呼制御信号がない場合には、受信バッファ２に格納された呼制御信号は直ちに呼制御処理部３で読み出され、その呼制御処理が実行される。また、無線基地局装置の負荷が高く、受信バッファ２に格納されている呼制御信号がある場合には、受信されて受信バッファ２に格納された呼制御信号は、既に受信バッファ２に格納されている呼制御信号に対する呼制御処理が終了して後、受信バッファ２から読み出され、呼制御処理が実行される。
【０００７】
呼制御処理部３の処理能力を超える間隔で呼制御信号を受信するような過負荷の状態の場合、受信バッファ２は満杯となり、その後に受信される呼制御信号は受信バッファ２に格納することができず、正常な呼制御処理ができなくなる。受信バッファ２では、呼制御信号を記録中に満杯になった場合には、それ以上の記録を中止し、そのまま満杯状態が保持される。従って、呼制御処理部３が受信バッファ２から呼制御信号を読み取るまでは、過負荷状態が続くことになる。
【０００８】
かかる呼制御処理において、過負荷状態となって呼制御処理ができない場合、上位装置が無線基地局装置から所定の待機時間を経ても応答信号がないことからこれを検知し、再度呼制御信号をこの無線基地局装置に送信するようにした技術が知られている（例えば、特許文献１参照）。
【０００９】
この特許文献１に記載の技術では、また、呼制御処理部（呼処理部）で過負荷状態になると、受信バッファ（呼処理信号保持部）に格納されている呼制御信号に優先順位を設定し、優先順位が高い呼制御信号の順に呼制御処理が行なわれるようにしている。
【００１０】
また、無線基地局装置の呼制御での過負荷によるダウンを防止するものとして、受信部で新たな処理が受信されると、これを実行するに要する負荷が既に現在の負荷記憶部に記憶されている負荷に加算されて、現在の負荷が更新され、これと予め設定されている閾値と比較され、更新された現在の負荷がこの閾値を超えるときには、過負荷状態と判定して、処理部の処理規制を行ない、かつ現在の負荷記憶部での上記の現在の負荷から上記の新たに受信された処理の負荷を差し引いて元の現在の負荷に更新するようにした技術も知られている。元に戻された現在の負荷が上記の閾値を超えず、過負荷状態が解除されたときには、処理部の処理規制が解除される（例えば、特許文献２参照）。
【特許文献１】特開２００５ー３９６９５
【特許文献２】特願２００４ー２０８１７８
【発明の開示】
【発明が解決しようとする課題】
【００１１】
ところで、上位装置から無線基地局装置に要求する呼制御処理としては、１つの呼制御信号で完了する場合もあるが、多くの呼制御処理では、複数の呼制御信号を用い、これら呼制御信号による一連の処理シーケンスで１つの呼制御処理を完了するものである。
【００１２】
図４は、一例として、新規の呼を設定するための１つの呼制御処理が２つの呼制御信号の処理シーケンスで実行される場合の動作の流れを示すフローチャートであり、図３を参照してこのときの動作を説明する。
【００１３】
上位装置が最初の呼制御信号Ｓ１の送信を行なうと、無線基地局装置では、これを受信部１で受信して受信バッファ２に格納し、この呼制御信号Ｓ１によって要求される呼制御処理が呼制御処理部３で行なわれる。呼制御処理部３でのこの呼制御処理が完了すると、呼制御処理部３で応答信号としての呼制御信号Ｒ１が形成され、送信バッファ４を介して送信部５から上位装置に送信される。
【００１４】
無線基地局装置からかかる呼制御信号Ｒ１が送信されると、これを受信した上位装置は、次の呼制御信号Ｓ２を無線基地局装置に送信する。無線基地局装置では、最初の呼制御信号Ｓ１を受信した場合と同様に、この呼制御信号Ｓ２を受信してこれによって要求される呼制御処理が呼制御処理部３で行なわれ、この呼制御処理が完了すると、その応答信号が呼制御信号Ｒ２として上位装置に送信される。
【００１５】
このように、かかるシーケンスが全て正常に完了すると、この新規の呼の設定処理が完了することになる。
【００１６】
ところで、新規の呼があったときに無線基地局装置が過負荷状態にあると、最初の呼制御信号Ｓ１から受信バッファ２に格納することができず、この新規の呼に対する呼制御処理ができないことは勿論であるが、無線基地局装置で最初の呼制御信号Ｓ１が受信されたときには過負荷状態になく、これが要求する呼制御処理が行なわれている間に他の新規の呼が受信され、これが受信バッファ２に格納されることにより、次の呼制御信号Ｓ２が受信されたときには、既に受信バッファ２が満杯となって過負荷状態になっている場合もある。
【００１７】
このような場合には、最初の呼制御信号に対して呼制御処理の処理シーケンスが完了しても、２回目の呼制御信号に対する処理シーケンスが失敗することになる。この場合、２つの呼制御信号による処理シーケンスが完了して初めて正常に処理がなされたことになるので、１回目の呼制御信号による処理シーケンスが正常に行なわれ、完了して呼の接続が行なわれても、全体としての処理は正常に完了したことにならず、処理は失敗したことになる。このため、上記の新規な呼の接続を維持することができず、接続断などが発生してしまうことになる。
【００１８】
このような呼制御処理の処理シーケンスが完了する前に、処理を変更したい場合もある。このためには、処理を変更させるための呼制御信号が上位装置から送られることになるが、このとき、過負荷状態になっていると、この呼制御信号も無線基地局装置で受け付けて貰えず、処理の変更もできないことになる。
【００１９】
また、設定済み（通話チャンネル接続済み）の呼を解放処理（例えば、通話の完了処理）する場合には、この呼の解放処理を要求する呼制御信号を上位装置から受けることが必要である。しかし、この場合も、発呼時での呼制御信号による呼の接続のための呼制御処理が正常に行なわれても、解放処理を要求呼制御信号を受信するときに基地局が過負荷状態になってしまっていると、呼制御処理部３では、呼の解放のための呼制御処理を行なうことができず、呼が解放されないまま残った状態となり、移動体端末との接続状態が解除されないままとなる。
【００２０】
以下では、以上のような複数の呼制御信号を用い、これら呼制御信号による一連の処理シーケンスで１つの呼制御処理を完了する呼制御や、呼の設定と設定された呼の解放との呼制御処理が関連し合っている呼制御など、複数の呼制御信号によって完成した１つの呼制御処理となる呼制御を、複合呼制御ということにする。
【００２１】
かかる問題に対し、上記特許文献１に記載のように、同じ呼制御信号を再送することが考えられる。しかし、無線基地局装置で過負荷状態が継続していれば、この再送される呼制御信号も受け付けられることがないし、また、呼制御処理部３が受信バッファ２から呼制御信号を読み出して受信バッファ２に多少の余裕が生じても、この再送によって負荷が増加することになるので、さらに、過負荷状態が続くことになる。
【００２２】
また、上記特許文献２に記載のように、受信した呼制御信号が過負荷状態を生じさせるか否かを判定し、過負荷状態を生じさせる場合には、この呼制御信号に対して呼制御処理を行なわせないようにし、上位装置にその旨を通知するようにすることも考えられるが、これでは、過負荷状態による受信バッファのオーバーフローによるシステムダウンなどを回避することを可能とするが、複数の処理シーケンスの途中の呼制御信号や設定済みの呼の解放処理のための呼制御信号に対する問題を解消するものではない。
【００２３】
本発明の目的は、かかる問題を解消し、複数の呼制御信号による一連の処理シーケンスや設定済みの呼に対する解放処理などの複合呼制御の処理も、過負荷状態を回避して、完了させることができるようにした無線基地局装置の過負荷制御装置を提供することにある。
【課題を解決するための手段】
【００２４】
上記目的を達成するために、本発明は、上位装置からの新規呼の呼制御信号を受信する受信手段と、該受信した呼制御信号の信号種別を判定する判定手段と、呼制御信号を格納する受信バッファと、呼制御信号の信号種別毎に設定された該受信バッファでの現在使用容量値が格納された第１の記憶手段と、呼制御信号の信号種別毎に設定された該受信バッファでの使用容量の閾値が格納された第２の記憶手段と、該受信した呼制御信号を該受信バッファに格納したときの該呼制御信号の信号種別での該受信バッファの使用予測値を、該呼制御信号のデータ量と該第１の記憶手段での該判定手段で判定された信号種別に該当する現在使用容量値とから求め、該使用予測値が該第２の記憶部での該判定手段で判定された信号種別に該当する閾値以下であるとき、該受信した呼制御信号を該受信バッファに格納する過負荷制御手段と、該受信バッファに格納された該呼制御信号を読み取り、該呼制御信号に応じた呼制御処理を行なう呼制御処理手段とを備えたことを特徴とするものである。
【発明の効果】
【００２５】
本発明によると、呼制御処理手段の処理能力を超える間隔で上位装置から呼制御信号を受信する過負荷状態であっても、一連の処理シーケンスの一部で既に呼制御処理が行なわれている呼制御や既に設定されている呼に対する呼制御の処理を確実に行なわせることができる。
【発明を実施するための最良の形態】
【００２６】
以下、本発明の実施形態を図面を用いて説明する。
【００２７】
図１は本発明による無線基地局装置の過負荷制御装置を用いた呼制御処理装置の一具体例を示すブロック図であって、６は信号種別判定部、７は過負荷制御部、８はデータ容量テーブル、９は信号別閾値記憶部、１０は信号別受信バッファ使用容量記憶部、１１は閾値更新部であり、図３に対応する部分には同一符号をつけて重複する説明を省略する。
【００２８】
同図において、この実施形態では、図３に示した従来の呼制御処理装置に対し、信号種別判定部６と過負荷制御部７とデータ容量テーブル８と信号別閾値記憶部９と信号別受信バッファ使用容量記憶部１０と閾値更新部１１とが付加されたものである。
【００２９】
ここで、データ容量テーブル８には、呼制御信号の信号種別毎の、呼制御処理に必要な呼制御信号の容量を表わす情報（以下、データ容量値という：これは、この呼制御信号を受信バッファ２に格納したときのこの受信バッファ２での使用容量となる）が格納されており、過負荷制御部７により、信号種別判定部６での判定結果の信号種別に応じたデータ容量が読み出される。ここで、このデータ容量とは、１つの呼制御信号で呼制御処理が完結するものであるときには、この呼制御信号のデータ容量をいい、複数の呼制御信号で呼制御が完結する複合呼制御に対しては、そのための複数個の呼制御信号全体のデータ容量をいうものである。
【００３０】
受信バッファ２では、受信対象となる呼制御信号の全ての信号種別毎に記憶可能（使用可能）な容量（以下、許容容量値という）が割り当てられており、呼制御信号が受信バッファ２に記憶される毎にその信号種別の現在使用済みの容量値が増加して、その信号種別に割り当てられている使用可能な容量（残容量）が減少する。
【００３１】
信号別閾値記憶部９には、信号種別毎に、受信バッファ２でのこの割り当てられた使用可能な容量値（即ち、許容容量値）が閾値として記憶されている。
【００３２】
信号別受信バッファ使用容量記憶部１０には、呼制御信号の信号種別毎の現在受信バッファ２で使用されている容量（以下、現在使用容量値という）が格納されている。
【００３３】
信号別閾値記憶部９に格納されている信号種別毎の閾値は、原則として、上記の割り当てられた容量値、即ち、許容容量値に固定されるものであるが、閾値更新部１１を設けることにより、後述するように、状況に応じて更新されるようにすることもできる。閾値を固定の値とする場合には、この閾値更新部１１は必要としない。
【００３４】
過負荷制御部７は、新規の呼の呼制御信号に対し、データ容量テーブル８から読み取ったデータ容量と、信号別受信バッファ使用容量記憶部１０から読み取った現在使用容量値と、信号別閾値記憶部９から読み取った閾値とを基にして、この新規の呼の呼制御信号を受信バッファ２に格納するか否かを判定し、その判定結果に応じてこの新規の呼の呼制御信号を受信バッファ２に格納し、あるいは格納しないで破棄するものである。
【００３５】
図２は図１に示す実施形態の処理動作の流れの一具体例を示すフローチャートである。以下、図１，図２を用いてこの処理の流れを説明する。
【００３６】
受信部１で上位装置（図示せず）からの新規呼の呼制御信号が受信されると（ステップ１００）、この新規呼の呼制御信号が信号種別判定部６に供給される。信号種別判定部６では、この新規呼の呼制御信号の信号種別がその信号種別データによって判定され、その判定結果である信号種別の情報とこの新規呼の呼制御信号とが過負荷制御部７に供給される（ステップ１０１）。
【００３７】
過負荷制御部７では、信号種別判定部６からの判定結果である信号種別を基に、データ容量テーブル８からこの判定された信号種別に対するこの新規呼の呼制御信号のデータ容量値を読み取る（ステップ１０２）。ここで、データ容量テーブル８から読み取られるデータ容量値は、１つの呼制御信号で要求される呼制御処理が完結するものであるときには、この呼制御信号のデータ容量であり、複数の呼制御信号で要求される１つの呼制御処理が完結する複合呼制御の場合には、これら複数の呼制御信号のデータ量の総和である。なお、複合呼制御の場合には、この新規呼の呼制御信号は、上位装置からこの複合呼制御のために最初に供給される呼制御信号である。
【００３８】
過負荷制御部７では、また、信号別受信バッファ使用容量記憶部１０から受信バッファ２でのこの新規呼の呼制御信号の信号種別に対する現在使用容量値が読み取られ、これらデータ容量値と現在使用容量値とが加算されることにより、この新規呼の呼制御信号が受信バッファ２に格納されたときのこの新規呼の呼制御信号の信号種別に対する受信バッファ２での新たな現在使用容量値が、使用予測値として、作成される（ステップ１０３）。
【００３９】
そして、過負荷制御部７では、さらに、信号別閾値記憶部９からこの新規呼の呼制御信号の判定された信号種別に対する閾値が読み取られ（ステップ１０４）、作成された使用予測値と比較される（ステップ１０５）。
【００４０】
この比較の結果、使用予測値が閾値以下であるときには、過負荷制御部７は、この新規呼の呼制御信号を受信バッファ２に格納しても、あるいはまた、この新規呼の呼制御信号を含む複合制御のための複数の呼制御を受信バッファ２に格納しても、受信バッファ２が過負荷状態とならないと判定し（ステップ１０５の“Ｙｅｓ”）、この新規呼の呼制御信号を受信バッファ２に格納するとともに（ステップ１０６）、この使用予測値を新たな現在使用容量値として信号別受信バッファ使用容量記憶部１０に供給し、この新規呼の呼制御信号の信号種別に対するこれまでの現在使用容量値をこの新たな現在使用容量値に更新する（ステップ１０７）。
【００４１】
その後、呼制御処理部３が受信バッファ２からこの新規呼の呼制御信号を読み取り、この新規呼の呼制御信号の信号種別データに基づいて、あるいは信号種別データと情報要素データとに基づいて、この新規呼の呼制御信号によって要求される呼制御処理を実行する（ステップ１０８）。この呼制御処理が終了すると、呼制御処理部３は応答信号を生成し（ステップ１０９）、これを送信バッファ４に格納する（ステップ１１０）。
【００４２】
また、呼制御処理部３は、信号別受信バッファ使用容量記憶部１０からこの呼制御処理した呼制御信号の信号種別に対する現在使用容量値を読み取り（ステップ１１１）、この現在使用容量値から呼制御処理したこの呼制御信号のデータ容量を減算し（ステップ１１２）、新たな現在使用容量値として、信号別受信バッファ使用容量記憶部１０から読み出された該当する現在使用容量値を更新する（ステップ１１３）。
【００４３】
しかる後、送信バッファ４から上記の応答信号が読み出され、送信部５から上位装置に送信される（ステップ１１４）。
【００４４】
また、使用予測値が閾値を超えるときには、過負荷制御部７は、受信バッファ２が過負荷状態となると判定し（ステップ１０５の“Ｎｏ”）、その旨の応答信号を作成し（ステップ１１５）、送信バッファ４に格納する（ステップ１１６）。そして、この応答信号が送信バッファ４から読み出され、送信部５から上位装置に送信される（ステップ１１７）。
【００４５】
１つの呼制御信号で呼制御処理が完結するものである場合には、以上の処理動作で呼制御処理が終了する。
【００４６】
これに対し、複合呼制御に対する新規呼の最初の呼制御信号を受信した場合には、過負荷制御部７では、上記のように、データ容量テーブル８からこの複合呼制御のための複数の呼制御信号のデータ容量の合計のデータ容量値が読み取られ（ステップ１０２）、これと信号別受信バッファ使用容量記憶部１０から読み出した該当する現在使用容量値とを加算して使用予測値を作成し（ステップ１０４）、この使用予測値が信号別閾値記憶部９から読み取った該当する閾値以下の場合には（ステップ１０５の“Ｙｅｓ”）、この複合呼制御の最初の呼制御信号が受信バッファ２に格納され（ステップ１０６）、これとともに、上記の使用予測値がこの複合呼制御での信号種別に対する新たな現在使用容量値として、信号別受信バッファ使用容量記憶部１０に記憶されることになる（ステップ１０７）。従って、複合呼制御に対しては、その呼制御処理が許可された場合には、信号別受信バッファ使用容量記憶部１０で確保される現在使用容量値は、この複合呼制御のための複数の呼制御信号全体のデータ容量が加算されたものとなっている。
【００４７】
このようにして、受信バッファ２に格納された複合呼制御の最初の呼制御信号は、呼制御処理部３で読み出されて呼制御処理が行なわれ（ステップ１０８）、この呼制御処理が終了すると、この呼制御が行なわれたこの最初の呼制御信号のデータ容量分、信号別受信バッファ使用容量記憶部１０に格納された該当する現在使用容量が減算される（ステップ１１１〜１１３）。従って、この時点では、この複合呼制御に対する信号別受信バッファ使用容量記憶部１０での現在使用容量は、呼制御されたこの最初の呼制御信号のデータ容量だけ差し引かれたものとなる。
【００４８】
この同じ複合呼制御での次の呼制御信号が新たに受信された場合には、信号種別判定部６でのこの呼制御信号の信号種別の判定結果により、過負荷制御部７は、信号種別データでの呼を識別するデータなどをもとに、この新たに受信した呼制御信号が既に呼制御信号が呼制御処理されている同じ複合呼制御での呼制御信号であるものと判定し、この判定後直ちにこの新たに受信した呼制御信号を受信バッファ２に格納し、また、呼制御処理部３がこの呼制御信号に対する呼制御処理を行なう。そして、呼制御処理部３は、この新たに受信した呼制御信号の呼制御処理を終了すると、最初の呼制御信号の場合と同様、信号別受信バッファ使用容量記憶部１０に格納された該当する現在使用容量からこの呼制御処理が行なわれた呼制御信号のデータ量が減算される。
【００４９】
同じ複合呼制御に対する先頭の呼制御に続く順次の呼制御信号に対しては、夫々以上の処理が行なわれ、これにより、呼制御処理が許可された複合呼制御に対しては、この複合呼制御に対する全ての呼制御信号に対し、信号別受信バッファ使用容量記憶部１０に格納されている現在使用容量によって受信バッファの容量が確保されていることになり、過負荷状態になることなく、同じ複合呼制御に対する全ての呼制御信号による呼制御処理が行なわれることになる。
【００５０】
また、同じ複合呼制御に対する呼制御信号による呼制御処理が順次行なわれる毎に、信号別受信バッファ使用容量記憶部１０に格納されている該当する信号種別に対する現在使用容量が減少していくので、その分受信バッファに同じ信号種別の他の呼制御信号に対する記憶容量が増加していくことになり、過負荷状態が発生する可能性が低減される。
【００５１】
なお、以上では、複合呼制御に対する呼制御処理の場合、信号別受信バッファ使用容量記憶部１０に格納される現在使用容量値を複合呼制御に対する複数の呼制御信号全体のデータ容量値を加味したものとしたが、他の例として、複合呼制御の場合、データ容量テーブル８にこの複合呼制御に対する複数の呼制御信号のデータ容量値のうち、最大のデータ容量値を格納するようにしてもよい。
【００５２】
この場合には、過負荷制御部７は、複合呼制御に対する新規呼の最初の呼制御信号を受信すると、信号種別判定部６の判定結果を基に（ステップ１０１）、この最大のデータ容量値を読み取り、これと信号別受信バッファ使用容量記憶部１０の該当する現在使用容量値とを加算して使用予測値を作成し（ステップ１０２，１０３）、これを信号別閾値記憶部９での該当する閾値と比較する（ステップ１０４，１０５）。そして、この使用予測値が閾値以下であるときには、この最初の呼制御信号を受信バッファ２に格納するとともに（ステップ１０６）、この使用予測値が、新たな現在使用容量値として、信号別受信バッファ使用容量記憶部１０に格納される。そして、受信バッファ２に格納された最初の呼制御信号は呼制御処理部３に読み出されて呼制御処理が行なわれるが、この最初の呼制御信号の呼制御処理が終了しても、信号別受信バッファ使用容量記憶部１０での該当する現在使用容量値は、更新されないでそのままの値に維持される。
【００５３】
同じ複合呼制御に対するこの最初の呼制御信号に続く順次の呼制御信号に対しては、上記と同様にして、受信バッファ２への格納，呼制御処理部３で呼制御処理が行なわれるが、この複合呼制御に対する呼制御処理が完了しない限り、信号別受信バッファ使用容量記憶部１０での該当する現在使用容量値は、更新されないでそのままの値に維持され、最後の呼制御信号に対する呼制御処理が終了してこの複合呼制御に対する呼制御処理が完了すると、例えば、過負荷制御部７がこの複合呼制御に対してデータ容量テーブル８から読み取った上記の最大のデータ容量を信号別受信バッファ使用容量記憶部１０での該当する現在使用容量値から減算し、この現在使用容量値を更新する。
【００５４】
このようにして、複合呼制御に対する呼制御処理全体が完了するまでは、信号別受信バッファ使用容量記憶部１０での該当する現在使用容量値及び信号別閾値記憶部９での該当する閾値とにより、過負荷状態になるのを確実に回避できることになる。
【００５５】
なお、ステップ１０５において、信号別受信バッファ使用容量記憶部１０から読み出した現在使用容量値に受信した呼制御信号のデータ容量を加算して得られる使用予測値が、信号別閾値記憶部９が読み出した該当する閾値を超えた場合、過負荷制御部７は、他の信号種別の対する現在使用容量値を信号別受信バッファ使用容量記憶部１０から、また、同じく閾値を信号別閾値記憶部９から夫々読み取り、受信バッファ２で使用に最も余裕がある信号種別を検出し、この検出した信号種別に対する閾値を低くして割り当てられた許容容量値を低減し、その分現在受信した呼制御信号の信号種別に対する閾値を高めるようにすることも可能である。このような閾値の変更は、過負荷制御部７の制御のもとに、閾値変更部１１によって行なわれる。即ち、過負荷制御部７は、変更する閾値とその変更量を閾値変更部１１に指定し、閾値変更部１１は、この指定された閾値を信号別閾値記憶部９から読み出し、夫々の値を変更して信号別閾値記憶部９に返す。
【００５６】
また、このように閾値が変更された呼制御信号の呼制御処理が終了すると、呼制御処理部３が、上記のように、信号別受信バッファ使用容量記憶部での該当する現在使用容量値を元の値に更新するとき（ステップ１１２，１１３）、閾値更新部１１を動作させることにより、信号別閾値記憶部９での閾値も元の値に戻すようにしてもよい。
【００５７】
以上のように、この実施形態では、１つの呼制御信号で呼制御処理が完結する場合は勿論のこと、複数の呼制御信号で１つの呼制御処理が完結する複合呼制御に対しても、同様であって、複合呼制御の呼制御処理が完了するまでの間に他の同じ信号種別の呼制御信号があっても、複合呼制御の後続する呼制御信号に対して、過負荷状態を回避することができ、確実に呼制御処理を完了することが可能となる。
【００５８】
従って、複数の処理シーケンスで１つの呼制御処理が完結する複合呼制御の場合において、この呼制御処理が完結しないうちに他の同じ信号種別の新規呼の呼制御信号が受信されて過負荷状態になるような場合でも、この複合呼制御の呼制御信号を規制しないようにすることが可能となり、途中の処理シーケンスの呼を正常に処理することが可能となるし、また、新規に呼を設定するための呼制御信号と既に設定済みの呼に対する呼制御信号との受信が混在し、これらが集中することによって過負荷状態となるような場合においても、設定済みの呼に対する呼制御信号の受信を規制しないようにすることが可能となり、設定済みの呼を正常に処理し、また、解放することが可能となる。
【００５９】
このように、信号種別毎に受信バッファ２の現在使用容量値と閾値とを用いて判定することにより、１つの受信バッファの使用容量または空き容量で判定するよりも、極め細かい過負荷制御を行なうことができる。
【００６０】
なお、上記実施形態では、信号種別毎に受信バッファ２での現在使用容量値と閾値とを設定するようにしたが、同じ信号種別の呼制御信号でも、その呼制御信号に含まれる情報要素によって処理の内容が細分化されるものであれば、その情報要素毎に信号種別を分類し、その分類の単位で受信バッファ２の現在使用容量値と閾値とを設定するようにしてもよい。
【００６１】
また、上記実施形態では、受信バッファ２に異なる信号種別の呼制御信号が混在して格納されることが想定されるが、呼制御信号の信号種別毎に受信バッファを設けるようにしてもよい。
【図面の簡単な説明】
【００６２】
【図１】本発明による無線基地局装置の過負荷制御装置の一実施形態を示すブロック構成図である。
【図２】図１に示す実施形態の処理動作の流れの一具体例を示すフローチャートである。
【図３】従来の無線基地局装置での呼制御処理装置の一例を示すブロック構成図である。
【図４】新規の呼を設定するための１つの呼制御処理が２つの呼制御信号のシーケンスで実行される場合の流れを示すフローチャートである。
【符号の説明】
【００６３】
１  受信部
２  受信バッファ
３  呼制御処理部
４  送信バッファ
５  送信部
６  信号種別判定部
７  過負荷制御部
８  データ容量テーブル
９  信号別閾値記憶部
１０  信号別受信バッファ使用容量記憶部
１１  閾値更新部
【図１】
2007281871.tif 000003
【図２】
2007281871.tif 000004
【図３】
2007281871.tif 000005
【図４】
2007281871.tif 000006